(57)【特許請求の範囲】
【請求項１】
筆記面にインクを筆記可能に収容した筆記ペン部と、この筆記ペン部により筆記されたインクに塗布することによって前記インクを有色から実質的に不可視の無色に消色させうる消色液を塗布可能に収容した消色ペン部と、この塗布された前記消色液を拭き取って前記筆記面を乾燥させる拭き取り部とを一連に具え、かつこれら筆記ペン部、消色ペン部及び拭き取り部の内の少なくとも一つを着脱自在とするとともに、
前記インクは、
ローダミンB ラクタム；
6-ジエチルアミノ- ベンゾ[ ａ] フルオラン；
3-ジエチルアミノ- ベンゾ[ ａ] フルオラン；
3-ジエチルアミノ-7,8- ベンゾフルオラン；
3-ジエチルアミノ-7- クロロフルオラン；
3,3-ビス(1-n- ブチル-2- メチル- インドイル-3) フタレート；
3,3-ビス(1- エチル-2- メチル- インドイル-3)-フタレート；
3,6-ビス( ジエチルアミノ) フルオラン- γ-(4-ニトロ)-アニリノラクタム；
3-ジエチルアミノ-6- メチル-7- クロロフルオラン；
2-ブロム-3- メチル-6- ジブチルアミノフルオラン；
1,3-ジメチル-6- ジエチルアミノフルオラン；
1,3,3-トリメチル- インドリノ-7'-クロル- β- ナフトスピロピラン；
3-シクロヘキシルアミノ-6- クロロフルオラン；
2-( フェニルイミノエタンジリデン)-3,3-トリメチル- インドリン；
N-アセチルオーラミン；
N-フェニルオーラミン；
2-｛2-[4-(ドデシルオキシ)-3-メトキシフェニル]-エテニル｝キノリン；
3,6-ジメチルオキシフルオラン；
マラカイトグリーンラクトン；
3-ジエチルアミノ-7- ジベンゾイルアミノフルオラン；
3-ジエチルアミノ-7- クロロアニリノフルオラン；
3,6,5'- トリ( ジメチルアミノ) フルオレン-9- スピロ-1'-(3'-イソベンゾフラン) ；
3,3-  ビス(4- ジエチルアミノ-2- エトキシフェニル)-4-アザフタリド；
クリスタルバイオレットラクトン；
ベンゾイルロイコメチレンブルー；
エチルロイコメチレンブルー；
メトキシベンゾイルロイコメチレンブルー；
ジ- β- ナフトスピロピラン；
3-(4- ジメチルアミノ-2- エトキシフェニル)-3-(1- エチル-2- メチルインドイル-3)-4-アザフタリド；
3-(4- ジエチルアミノフェニル)-3-(1- エチル-2- メチルインドイル-3) フタリド；
3,7-ビス( ジメチルアミノ)-10- ベンゾイルフェノシアジン；
トリ(4- ジメチルアミノフェニル) メタン；
3-シクロヘキシルメチルアミノ-6- メチル-7- アニリノフルオラン；
3-ジエチルアミノ-6- メチル-7- アニリノフルオラン；
3-ジブチルアミノ-6- メチル-7- アニリノフルオラン；
3-ジエチルアミノ-6- メチル-7- キリデノフルオラン；
2-(2- クロロアニリノ)-6-ジエチルアミノフルオラン；
2-(2- クロロアニリノ)-6-ジブチルアミノフルオラン；
2-アニリノ-3- メチル-6- ジエチルアミノフルオラン；からなるグループＡから選択される一種以上の電子供与性呈色化合物を５〜２０重量部、
サリチル酸亜鉛、ビスフェノールＡ、アジピン酸、アスコルビン酸、安息香酸、塩化亜鉛、塩化カルシウム、塩化マグネシウム、塩酸チアミン、クエン酸、グリコール酸、琥珀酸、サリチル酸、酒石酸、タンニン酸、ニコチン酸、乳酸、氷酢酸、フマル酸、没食子酸プロピル、リンゴ酸、リン酸からなるグループＢから選択される一種以上の電子受容性顕色化合物を３〜１５重量部、及び
ポリビニルアルコール、ポリエチレングリコール、アルギン酸、アルギン酸塩、セルロース、セルロース誘導体、カルボキシビニルポリマー、ポリエチレンオキサイド、ポリアクリル酸ナトリウム、トラガントゴム、アラビアゴム、グアーガム、ゼラチン、ニカワ、ペクチン、ローカストビーンガム、ガラクトースマンナン、カンテン、デンプンから選択される一種以上の発色保持剤を含む無水の混合液からなるとともに、
前記消色液は、水に、
アルキルエーテル硫酸エステルナトリウム；
α- オレフィンスルホン酸ナトリウム；
脂肪酸アルカノールアミド；
アルキルアミンオキシド；
アルキルグリコシド；
ポリオキシエチレンアルキルエーテル；
アルキルスルホコハク酸ナトリウム；
ポリオキシエチレンアルキルアリルエーテル；
ポリオキシエチレン- ポリオキシプロピレン共重合体；からなるグループＣから選択される一種以上の界面活性剤を含有させた水溶液であることを特徴とする筆記具。
【発明の詳細な説明】
【０００１】
【発明の属する技術分野】
本発明は、筆記された絵・文字等の消去、訂正を、消色液の塗布によるインク自体の消色によって清浄に行うとともにその使い勝手を高めた筆記具に関する。
【０００２】
【従来の技術、及び発明が解決しようとする課題】
従来、筆記具として鉛筆、ボールペン、水性・油性のフェールトペン等が広く用いられており、これらによって筆記された絵・文字等の筆記跡の消去、訂正には、例えば鉛筆の場合には、ゴムの吸着作用を利用した消ゴム等が必要であり、又ボールペン、フェールトペン等の場合には、前記吸着が困難であるため、筆記跡自体を筆記面から削り取るか、若しくは例えば修正液、修正テープによって筆記跡をその上から目隠しすることが必要となる。
【０００３】
しかし、従来の筆記具では、消しゴム、修正液等の専用の修正用部材を別途準備、携帯しなければならないという不便さがあり、しかも修正の痕跡が、例えば筆圧跡、修正液跡として筆記面に残存してしまうため、清浄さに欠けかつ筆記の見栄えを損ねるとともに、特に消しゴムにあっては、削りカスが生じて周囲を汚すこととなる。従って、近年、消去、訂正をより清浄にかつ簡単に行いうる、使い勝手に優れる新たな筆記具の出現が強く望まれている。
【０００４】
このような状況に鑑み、本発明者は、特開平２−２６６３８９号公報において紹介した、無色のｐｈ領域を有するｐｈ指示薬及びこのｐｈ指示薬が発色するｐｈ領域に調整する酸・アルカリ性物質を用いたインク、並びに特開平７−９０２１４号公報及び特開平８−６００６５号公報において紹介した、ある種の電子供与性呈色化合物と電子受容性顕色化合物とを用いたインク等を使用し、インク自体を消色させることによって、筆記跡の清浄な消去、訂正作業を可能とすることを案出した。
【０００５】
しかしこれらのインクを用いる際にも、それ専用の消色液が必要であり、従って、本、ノート、手帳等に用いる一般の携帯用筆記具として使用するためには、消去、訂正を自在な場所で便宜に行なうために、筆記具の構造自体にも改良を加えることが必要であることが判明した。
【０００６】
そこで本発明のうち請求項１に記載の発明は、消色可能なインクを収容した筆記ペン部と、その消色液を収容した消色ペン部と、消色液を拭き取って筆記面を乾燥させる拭き取り部とを一連に設けることを基本として、通常の筆記に加えインク自体の消色によって筆記跡の消去、訂正を清浄にかつ容易に行いうるとともに、修正箇所への早期な筆記を可能とし、その使い勝手を大巾に高めた筆記具の提供を目的としたものであります。
【０００９】
【課題を解決するための手段】
前述した目的を達成するために、本発明のうちで請求項１記載の発明は、筆記面にインクを筆記可能に収容した筆記ペン部と、この筆記ペン部により筆記されたインクに塗布することによって前記インクを有色から実質的に不可視の無色に消色させうる消色液を塗布可能に収容した消色ペン部と、この塗布された前記消色液を拭き取って前記筆記面を乾燥させる拭き取り部とを一連に具え、かつこれら筆記ペン部、消色ペン部及び拭き取り部の内の少なくとも一つを着脱自在とするとともに、
前記インクは、
ローダミンB ラクタム；
6-ジエチルアミノ- ベンゾ[ ａ] フルオラン；
3-ジエチルアミノ- ベンゾ[ ａ] フルオラン；
3-ジエチルアミノ-7,8- ベンゾフルオラン；
3-ジエチルアミノ-7- クロロフルオラン；
3,3-ビス(1-n- ブチル-2- メチル- インドイル-3) フタレート；
3,3-ビス(1- エチル-2- メチル- インドイル-3)-フタレート；
3,6-ビス( ジエチルアミノ) フルオラン- γ-(4-ニトロ)-アニリノラクタム；
3-ジエチルアミノ-6- メチル-7- クロロフルオラン；
2-ブロム-3- メチル-6- ジブチルアミノフルオラン；
1,3-ジメチル-6- ジエチルアミノフルオラン；
1,3,3-トリメチル- インドリノ-7'-クロル- β- ナフトスピロピラン；
3-シクロヘキシルアミノ-6- クロロフルオラン；
2-( フェニルイミノエタンジリデン)-3,3-トリメチル- インドリン；
N-アセチルオーラミン；
N-フェニルオーラミン；
2-｛2-[4-(ドデシルオキシ)-3-メトキシフェニル]-エテニル｝キノリン；
3,6-ジメチルオキシフルオラン；
マラカイトグリーンラクトン；
3-ジエチルアミノ-7- ジベンゾイルアミノフルオラン；
3-ジエチルアミノ-7- クロロアニリノフルオラン；
3,6,5'- トリ( ジメチルアミノ) フルオレン-9- スピロ-1'-(3'-イソベンゾフラン) ；
3,3-  ビス(4- ジエチルアミノ-2- エトキシフェニル)-4-アザフタリド；
クリスタルバイオレットラクトン；
ベンゾイルロイコメチレンブルー；
エチルロイコメチレンブルー；
メトキシベンゾイルロイコメチレンブルー；
ジ- β- ナフトスピロピラン；
3-(4- ジメチルアミノ-2- エトキシフェニル)-3-(1- エチル-2- メチルインドイル-3)-4 - アザフタリド；
3-(4- ジエチルアミノフェニル)-3-(1- エチル-2- メチルインドイル-3) フタリド；
3,7-ビス( ジメチルアミノ)-10- ベンゾイルフェノシアジン；
トリ(4- ジメチルアミノフェニル) メタン；
3-シクロヘキシルメチルアミノ-6- メチル-7- アニリノフルオラン；
3-ジエチルアミノ-6- メチル-7- アニリノフルオラン；
3-ジブチルアミノ-6- メチル-7- アニリノフルオラン；
3-ジエチルアミノ-6- メチル-7- キリデノフルオラン；
2-(2- クロロアニリノ)-6-ジエチルアミノフルオラン；
2-(2- クロロアニリノ)-6-ジブチルアミノフルオラン；
2-アニリノ-3- メチル-6- ジエチルアミノフルオラン；からなるグループＡから選択される一種以上の電子供与性呈色化合物を５〜２０重量部、
サリチル酸亜鉛、ビスフェノールＡ、アジピン酸、アスコルビン酸、安息香酸、塩化亜鉛、塩化カルシウム、塩化マグネシウム、塩酸チアミン、クエン酸、グリコール酸、琥珀酸、サリチル酸、酒石酸、タンニン酸、ニコチン酸、乳酸、氷酢酸、フマル酸、没食子酸プロピル、リンゴ酸、リン酸からなるグループＢから選択される一種以上の電子受容性顕色化合物を３〜１５重量部、及び
ポリビニルアルコール、ポリエチレングリコール、アルギン酸、アルギン酸塩、セルロース、セルロース誘導体、カルボキシビニルポリマー、ポリエチレンオキサイド、ポリアクリル酸ナトリウム、トラガントゴム、アラビアゴム、グアーガム、ゼラチン、ニカワ、ペクチン、ローカストビーンガム、ガラクトースマンナン、カンテン、デンプンから選択される一種以上の発色保持剤を含む無水の混合液からなるとともに、
前記消色液は、水に、
アルキルエーテル硫酸エステルナトリウム；
α- オレフィンスルホン酸ナトリウム；
脂肪酸アルカノールアミド；
アルキルアミンオキシド；
アルキルグリコシド；
ポリオキシエチレンアルキルエーテル；
アルキルスルホコハク酸ナトリウム；
ポリオキシエチレンアルキルアリルエーテル；
ポリオキシエチレン- ポリオキシプロピレン共重合体；からなるグループＣから選択される一種以上の界面活性剤を含有させた水溶液であることを特徴としたものであります。
【００１３】
【発明の実施の形態】
以下、本発明の実施例の形態を、図示例と共に説明する。
図において筆記具１は、筆記面にインク２を筆記可能に収容した筆記ペン部３と、この筆記ペン部３により筆記されたインク２に塗布することによって前記インク２を有色から実質的に不可視の無色に消色させうる消色液４を塗布可能に収容した消色ペン部５と、この塗布された前記消色液４を拭き取って前記筆記面を乾燥させる拭き取り部６とを一連に具えるとともに、これら筆記ペン部３、消色ペン部５及び拭き取り部６の内の少なくとも一つを着脱自在に連結している。なお本例では、筆記具１は、フェールトペンとして形成される。
【００１４】
前記筆記ペン部３は、本例では、先細り状の絞り部分７を前端に設けた後端開放の筒状の基管９と、この基管９の前記絞り部分７に嵌着されるペン先用の芯材１０とを具える。又前記基管９は、その内部に配される隔壁１１によって、前後の空所Ｈ１、Ｈ２に区分されるとともに、この前の空所Ｈ１には、インク２が、例えば中綿１２に含浸されて収容される。又前記芯材１０は、例えばフィラメントを束ねたフェルト材であり、その後端は前記中芯１２に連通し、毛細管現象等によりインク２を前端のペン先部分１０Ａから惨出させ、筆記可能としている。又前記消色ペン部５は、前記後の空所Ｈ２側に形成される。
【００１５】
前記消色ペン部５は、本例では、後端に絞り部分１３を設けた筒状の胴管１４と、この絞り部分１３に嵌着される芯材１５とを具え、前記胴管１４の前端側が前記空所Ｈ２内に嵌入することによって、消色ペン部５は前記筆記ペン部３と一連かつ一体に形成される。なお前記胴管１４内には、消色液４が、例えば中綿１６に含浸されて収容される。又前記芯材１５は、芯材１０と同様なフェルト材及びスポンジなどからなり、その前端が中芯１６に連通するとともに、後端となる前記胴管１４からの突出端部１５Ａを、比較的広い略平面で形成することによって、消色液４の塗布作業を容易としている。
【００１６】
又筆記体１は、前記基管９及び胴管１４に着脱自在に取り付く蓋体１７、１８を具え、この蓋体１７、１８は、夫々前記筆記ペン部３及び消色ペン部５の各芯材１０、１５を被覆保護して、芯材自体の汚損、損傷を防ぐとともに、芯材からのインク２及び消色液４の蒸発乾燥を防止する。又一方の蓋体１７又は１８、本例では、蓋体１７の前端には、拭き取り部６を設けている。従って、筆記具１は、前記筆記ペン部３、消色ペン部５及び拭き取り部６を一連に、即ち直線状に互いに連結するととともに、本例では、拭き取り部６を着脱自在としている。
【００１７】
又拭き取り部６は、セルローススポンジ、及びフェールト、木綿等の布材などの吸水性に優れる部材２１から形成され、前記蓋体１７前端に設ける凹部２０に固着される。なおこの部材２１は、前記蓋体１７に着脱自在に取付くキャップ体２２によって被覆され、該部材２１の埃等による汚損が防止されるとともに、吸水後の乾燥を促進するために、キャップ体２２に通気用の小孔２３を穿設している。なお要求によって、キャップ体２２から小孔２３を排除してもよく、さらにはキャップ体２２自体を排除することもできる。
【００１８】
このように、筆記具１は、筆記ペン部３の芯材１０によって、通常のフェールトペンと同様の筆記作業を行う。又筆記跡を訂正する際には、筆記具後端に設ける消色ペン部５を用いて、筆記跡の上をなぞりながら消色液４を塗布することによって、インク自体を消色させて訂正個所を清浄に消去する。さらに蓋体１７に設けた拭き取り部６によって、消色したインク２とともに消色液４を拭き取り、筆記面を乾燥させた後、その部分に訂正書きする。
【００１９】
このように筆記ペン部３、消色ペン部５及び拭き取り部６を一連に具えているため、使い勝手に優れかつ携帯容易にコンパクトであり、又使用場所が限定されることなく自在な場所で筆記・訂正が行える。しかも消色可能なインクを用いているため、筆記面に加え、芯材１５及び部材２１にも着色の恐れがなく清潔に保ちうる。なお図２は、本例の筆記具１において、前記筆記ペン部３と消色ペン部５とが一体に形成され、又拭き取り部６を有する蓋体１７と蓋体１８とキャップ体２２とが脱着自在であることを示す。
【００２０】
ここで消色可能な前記インク２としては、グループＡから選択される一種以上の電子供与性呈色化合物からなる発色剤と、グループＢから選択される一種以上の電子受容性顕色化合物からなる発色助剤とを例えばエタノール、イソピロピールアルコール等のアルコール系の溶剤内で混合した、低粘度の無水の混合液であって、前記電子受容性顕色化合物は、インク１００重量部に対して、３〜１５重量部含有するとともに、前記電子供与性呈色化合物は５〜２０重量部含有する。
【００２１】
前記グループＡの電子供与性呈色化合物としては、
ローダミンB ラクタム；-----(1)
6-ジエチルアミノ- ベンゾ[ ａ] フルオラン；-----(2)
3-ジエチルアミノ- ベンゾ[ ａ] フルオラン；-----(3)
3-ジエチルアミノ-7,8- ベンゾフルオラン；-----(4)
3-ジエチルアミノ-7- クロロフルオラン；-----(5)
3,3-ビス(1-n- ブチル-2- メチル- インドイル-3) フタレート；-----(6)
3,3-ビス(1- エチル-2- メチル- インドイル-3)-フタレート；-----(7)
3,6-ビス( ジエチルアミノ) フルオラン- γ-(4-ニトロ)-アニリノラクタム；-----(8)
3-ジエチルアミノ-6- メチル-7- クロロフルオラン；-----(9)
2-ブロム-3- メチル-6- ジブチルアミノフルオラン；-----(10)
1,3-ジメチル-6- ジエチルアミノフルオラン；-----(11)
1,3,3-トリメチル- インドリノ-7'-クロル- β- ナフトスピロピラン；-----(12)
3-シクロヘキシルアミノ-6- クロロフルオラン；-----(13)
2-( フェニルイミノエタンジリデン)-3,3-トリメチル- インドリン；-----(14) N-アセチルオーラミン；-----(15)
N-フェニルオーラミン；-----(16)
2-｛2-[4-(ドデシルオキシ)-3-メトキシフェニル]-エテニル｝キノリン；-----(17)
3,6-ジメチルオキシフルオラン；-----(18)
マラカイトグリーンラクトン；-----(19)
3-ジエチルアミノ-7- ジベンゾイルアミノフルオラン；-----(20)
3-ジエチルアミノ-7- クロロアニリノフルオラン；-----(21)
3,6,5'- トリ( ジメチルアミノ) フルオレン-9- スピロ-1'-(3'-イソベンゾフラン) ；-----(22)
3,3-ビス(4- ジエチルアミノ-2- エトキシフェニル)-4-アザフタリド；-----(23)
クリスタルバイオレットラクトン；-----(24)
ベンゾイルロイコメチレンブルー；-----(25)
エチルロイコメチレンブルー；-----(26)
メトキシベンゾイルロイコメチレンブルー；-----(27)
ジ- β- ナフトスピロピラン；-----(28)
3-(4- ジメチルアミノ-2- エトキシフェニル)-3-(1- エチル-2- メチルインドイル-3)-4-アザフタリド；-----(29)
3-(4- ジエチルアミノフェニル)-3-(1- エチル-2- メチルインドイル-3) フタリド；-----(30)
3,7-ビス( ジメチルアミノ)-10- ベンゾイルフェノシアジン；-----(31)
トリ(4- ジメチルアミノフェニル) メタン；-----(32)
3-シクロヘキシルメチルアミノ-6- メチル-7- アニリノフルオラン；-----(33)
3-ジエチルアミノ-6- メチル-7- アニリノフルオラン；-----(34)
3-ジブチルアミノ-6- メチル-7- アニリノフルオラン；-----(35)
3-ジエチルアミノ-6- メチル-7- キリデノフルオラン；-----(36)
2-(2- クロロアニリノ)-6-ジエチルアミノフルオラン；-----(37)
2-(2- クロロアニリノ)-6-ジブチルアミノフルオラン；-----(38)
2-アニリノ-3- メチル-6- ジエチルアミノフルオラン；-----(39)
があり、このグループＡの電子供与性呈色化合物の化学構造式をそれそれ、図６〜図４４に示している。
【００２２】
又前記グループＢの電子受容性顕色化合物として、サリチル酸亜鉛、ビスフェノールＡ、アジピン酸、アスコルビン酸、安息香酸、塩化亜鉛、塩化カルシウム、塩化マグネシウム、塩酸チアミン、クエン酸、グリコール酸、琥珀酸、サリチル酸、酒石酸、タンニン酸、ニコチン酸、乳酸、氷酢酸、フマル酸、没食子酸プロピル、リンゴ酸、リン酸がある。
【００２３】
これら発色剤と発色助剤とを含むインク２は、前記呈色化合物と顕色化合物との分子接触によって各呈色化合物固有の色に発色する。なお前記No.(1)〜No.(39) の呈色化合物のうちNo.(1)〜No.(8)は赤色、No.(9)〜No.(10) は朱色、No.(11) 〜No.(13) は橙色、No.(14) 〜No.(18) は黄色、No.(19) 〜No.(22) は緑色、No.(23) は空色、No.(24) 〜No.(32) は青色、No.(33) 〜No.(39) は黒色に夫々発色する。
【００２４】
又このインク２は、水からなる消色液４が付着された際、水があたかも顕色化合物を喪失させるかのごとく機能せしめ、前記発色を無色に瞬時に変化させるとともに水の乾燥後も無色（消色）状態が維持される。従って、該消色跡の上には、インク２を用いた訂正書きができる。
【００２５】
又インク２には、筆記跡の色落ちを抑制して鮮明さを保つ目的で、ポリビニルアルコール、ポリエチレングリコール、アルギン酸、アルギン酸塩、セルロース、セルロース誘導体、カルボキシビニルポリマー、ポリエチレンオキサイド、ポリアクリル酸ナトリウム、トラガントゴム、アラビアゴム、グアーガム、ゼラチン、ニカワ、ペクチン、ローカストビーンガム、ガラクトースマンナン、カンテン、デンプンから選択される一種以上の発色保持剤を３〜１５重量部含有させることが好ましい。
【００２６】
しかしながらこのような発色保持剤を、インク２に添加したときには、発色保持剤が発色剤及び発色補助剤を被覆するために、水のみでの消色は難く、このときには消色液４として、水と界面活性剤との混合液を用いる。この界面活性剤としては、アルキルエーテル硫酸エステルナトリウム、α−オレフィンスルホン酸ナトリウム、脂肪酸アルカノールアミド、アルキルアミンオキシド、アルキルグリコシド、ポリオキシエチレンアルキルエーテル、アルキルスルホコハク酸ナトリウム、ポリオキシエチレンアルキルアリルエーテル、ポリオキシエチレン−ポリオキシプロピレン共重合体からなるグループＣから選択される一種以上のものが使用でき、この界面活性剤は、消色液１００重量部に対して、例えば２〜１３重量部含有さることが好ましい。
【００２７】
前記界面活性剤を含む消色液４は、発色保持剤を添加したインク及び添加しないインクの双方に対して消色効果を発揮できるとともに、部材２１による拭き取りによって、消色したインク自体を筆記面から容易に取去ることが可能となる。なお発色保持剤を添加しないインク２に対しては、水のみからなる消色液４によっても、インク自体の取去りは可能である。
【００２８】
又本発明の筆記具１には採用されないが、消色液によって消色可能なインクの参考例として、ｐｈ指示薬と、このｐｈ指示薬が発色しうる酸性領域又はアルカリ性領域に調整するｐｈ調整剤とを含む混合液を挙げることができる。前記ｐｈ指示薬としては、γ- ジニトロフェノール、ｍ- ニトロフェノール、ο- ニトロフェノール、ρ- ニトロフェノール、シアニン、α- ナフト−ルフタレイン、フェノールフタレイン、クレゾールフタレイン、チモールフタレイン、エチルビス酢酸、ブロムフェノールパープル、ヘキサメトキシレッド、ヘプタメトキシレッドからなるグループＤから選択される一種以上のものを用いうる。
【００２９】
又ｐｈ調整剤としては、アンモニア、モノエタノールアミン、エチルアミン類、プロピルアミン類、２- エチルヘキシルオキシプロピルアミン、３- エトキシプ−ピルアミン、ジイソブチルアミン、ｓｅｃ−ブチルアミン類、エタノールアミン類、２- エチルヘキシルアミン、エチレンアミン類、ギ酸、酢酸からなるグループＥから選択されるものを用いうる。
【００３０】
またこのようなｐｈ変化による発色を利用したインクの消色液の参考例としては、前記グループＥから選択され、インクをｐｈ指示薬が消色状態となる酸又はアルカリ領域に移行しうるｐｈ調整剤が挙げられる。
【００３１】
又図３〜５に、本願の筆記具１の他の実施例を開示する。
【００３２】
図３において、筆記具１では、拭き取り部６が蓋体１８の後端に形成される。なお本例では、蓋体１８の底部には、蓋体１８を閉めた状態で芯材１５と接触するとともに消色液４を含浸する補助芯２４が固着され、芯材１５を常時、濡れた状態に維持している。
【００３３】
図４、５において、筆記具１では、基管９内を２つの空所Ｈ１、Ｈ２に区分されることなくその後端を、栓２５で閉止するとともに、筆記ペン部３用の蓋体１７の前端に、芯材１５からなる消色ペン部５を形成している。なおこの芯材１５の突出端部１５Ａは、蓋体１８によって被覆する。又図４では、前記栓２５の後端に、拭き取り部６を形成する場合が、又図５では、蓋体１８の前端に拭き取り部６を形成する場合が夫々示されている。
このように本願の発明は、種々な態様のものに変形できる。
【００３４】
【実施例１】
塩化カルシウムを顕色化合物、エチルアルコールを溶剤、ポリエチレングリコールエーテルを非イオン界面活性剤、及びセルロース誘導体を発色保持剤とし、表１〜３に示す呈色化合物を用いてインクを作成した。
【００３５】
【表１】
0003847844.tif 000002
【００３６】
【表２】
0003847844.tif 000003
【００３７】
【表３】
0003847844.tif 000004
【００３８】
なお発色保持剤を含有したサンプルのインクは、水のみの付着では消色しなかったが、界面活性剤、例えばアルキルエーテル硫酸エステルナトリウムを２〜１３重量部配合した消色液４でぬぐうことによって、消色しかつインク自体が取去られるのが確認できた。
【００４１】
【発明の効果】
本発明の筆記具は、叙上のごとく構成しているために、通常の筆記に加えインク自体の消色によって筆記跡の消去、訂正を清浄にかつ容易に行いうるとともに、修正箇所への早期な筆記を可能とし、その使い勝手を大巾に高めうる。
【図面の簡単な説明】
【図１】本発明の筆記具の一実施例を示す断面図である。
【図２】各部の着脱状態を説明する線図である。
【図３】本発明の他の実施例を示す断面図である。
【図４】本発明のさらに他の実施例を示す断面図である。
【図５】本発明のさらに他の実施例を示す断面図である。
【図６】ローダミンB ラクタムの化学式である。
【図７】  6-ジエチルアミノ- ベンゾ[ ａ] フルオランの化学式である。
【図８】  3-ジエチルアミノ- ベンゾ[ ａ] フルオランの化学式である。
【図９】  3-ジエチルアミノ-7,8- ベンゾフルオランの化学式である。
【図１０】  3-ジエチルアミノ-7- クロロフルオランの化学式である。
【図１１】  3,3-ビス(1-n- ブチル-2- メチル- インドイル-3) フタレートの化学式である。
【図１２】  3,3-ビス(1- エチル-2- メチル- インドイル-3)-フタレートの化学式である。
【図１３】  3,6-ビス( ジエチルアミノ) フルオラン- γ-(4-ニトロ)-アニリノラクタムの化学式である。
【図１４】  3-ジエチルアミノ-6- メチル-7- クロロフルオランの化学式である。
【図１５】  2-ブロム-3- メチル-6- ジブチルアミノフルオランの化学式である。
【図１６】  1,3-ジメチル-6- ジエチルアミノフルオランの化学式である。
【図１７】  1,3,3-トリメチル- インドリノ-7'-クロル- β- ナフトスピロピランの化学式である。
【図１８】  3-シクロヘキシルアミノ-6- クロロフルオランの化学式である。
【図１９】  2-( フェニルイミノエタンジリデン)-3,3-トリメチル- インドリンの化学式である。
【図２０】  N-アセチルオーラミンの化学式である。
【図２１】  N-フェニルオーラミンの化学式である。
【図２２】  2-｛2-[4-(ドデシルオキシ)-3-メトキシフェニル]-エテニル｝キノリンの化学式である。
【図２３】  3,6-ジメチルオキシフルオランの化学式である。
【図２４】マラカイトグリーンラクトンの化学式である。
【図２５】  3-ジエチルアミノ-7- ジベンゾイルアミノフルオランの化学式である。
【図２６】  3-ジエチルアミノ-7- クロロアニリノフルオランの化学式である。
【図２７】  3,6,5'- トリ(ジメチルアミノ) フルオレン-9- スピロ-1'-(3'-イソベンゾフラン) の化学式である。
【図２８】  3,3-ビス(4- ジエチルアミノ-2- エトキシフェニル)-4-アザフタリドの化学式である。
【図２９】クリスタルバイオレットラクトンの化学式である。
【図３０】ベンゾイルロイコメチレンブルーの化学式である。
【図３１】エチルロイコメチレンブルーの化学式である。
【図３２】メトキシベンゾイルロイコメチレンブルーの化学式である。
【図３３】ジ- β- ナフトスピロピランの化学式である。
【図３４】  3-(4- ジメチルアミノ-2- エトキシフェニル)-3-(1- エチル-2- メチルインドイル-3)-4-アザフタリドの化学式である。
【図３５】  3-(4- ジエチルアミノフェニル)-3-(1- エチル-2- メチルインドイル-3) フタリドの化学式である。
【図３６】  3,7-ビス( ジメチルアミノ)-10- ベンゾイルフェノシアジンの化学式である。
【図３７】トリ(4- ジメチルアミノフェニル) メタンの化学式である。
【図３８】  3-シクロヘキシルメチルアミノ-6- メチル-7- アニリノフルオランの化学式である。
【図３９】  3-ジエチルアミノ-6- メチル-7- アニリノフルオランの化学式である。
【図４０】  3-ジブチルアミノ-6- メチル-7- アニリノフルオランの化学式である。
【図４１】  3-ジエチルアミノ-6- メチル-7- キリデノフルオランの化学式である。
【図４２】  2-(2- クロロアニリノ)-6-ジエチルアミノフルオランの化学式である。
【図４３】  2-(2- クロロアニリノ)-6-ジブチルアミノフルオランの化学式である。
【図４４】  2-アニリノ-3- メチル-6- ジエチルアミノフルオランの化学式である。
【符号の説明】
２  インク
３  筆記ペン部
４  消色液
５  消色ペン部
６  拭き取り部
２２  キャップ体
２３  小孔
【図１】
0003847844.tif 000005
【図２】
0003847844.tif 000006
【図３】
0003847844.tif 000007
【図４】
0003847844.tif 000008
【図５】
0003847844.tif 000009
【図６】
0003847844.tif 000010
【図７】
0003847844.tif 000011
【図８】
0003847844.tif 000012
【図９】
0003847844.tif 000013
【図１０】
0003847844.tif 000014
【図１１】
0003847844.tif 000015
【図１２】
0003847844.tif 000016
【図１３】
0003847844.tif 000017
【図１４】
0003847844.tif 000018
【図１５】
0003847844.tif 000019
【図１６】
0003847844.tif 000020
【図１７】
0003847844.tif 000021
【図１８】
0003847844.tif 000022
【図１９】
0003847844.tif 000023
【図２０】
0003847844.tif 000024
【図２１】
0003847844.tif 000025
【図２２】
0003847844.tif 000026
【図２３】
0003847844.tif 000027
【図２４】
0003847844.tif 000028
【図２５】
0003847844.tif 000029
【図２６】
0003847844.tif 000030
【図２７】
0003847844.tif 000031
【図２８】
0003847844.tif 000032
【図２９】
0003847844.tif 000033
【図３０】
0003847844.tif 000034
【図３１】
0003847844.tif 000035
【図３２】
0003847844.tif 000036
【図３３】
0003847844.tif 000037
【図３４】
0003847844.tif 000038
【図３５】
0003847844.tif 000039
【図３６】
0003847844.tif 000040
【図３７】
0003847844.tif 000041
【図３８】
0003847844.tif 000042
【図３９】
0003847844.tif 000043
【図４０】
0003847844.tif 000044
【図４１】
0003847844.tif 000045
【図４２】
0003847844.tif 000046
【図４３】
0003847844.tif 000047
【図４４】
0003847844.tif 000048